(57)【特許請求の範囲】
【請求項１】
地面に立設され、上下方向に立設される壁パネル部材を備える支持部材と、
二枚の薄板の間に発泡体で形成された芯材が配置されて構成される屋根材を有する屋根部と、
前記支持部材に固定され、前記屋根部の側面と前記壁パネル部材の側面とを接続する接続部材と、を備え、
前記屋根材の周囲には該屋根材を保持する枠体が設けられ、
前記枠体には、外方を向く外側凹部が形成され、
前記接続部材に前記外側凹部が外挿されることで、前記支持部材に前記屋根部が支持されることを特徴とする屋外用構造物の屋根取付構造。
【請求項２】
地面に立設され、上下方向に立設される壁パネル部材を備える支持部材と、
二枚の薄板の間にハニカム構造体で構成された芯材が配置されて構成される屋根材を有する屋根部と、
前記支持部材に固定され、前記屋根部の側面と前記壁パネル部材の側面とを接続する接続部材と、を備え、
前記屋根材の周囲には該屋根材を保持する枠体が設けられ、
前記枠体には、外方を向く外側凹部が形成され、
前記接続部材に前記外側凹部が外挿されることで、前記支持部材に前記屋根部が支持されることを特徴とする屋外用構造物の屋根取付構造。
【請求項３】
前記接続部材は、長尺部材であり、水平方向に対して傾斜して前記壁パネル部材の側面に固定され、
前記屋根部は、前記接続部材に沿って水平方向に対して傾斜して固定される
請求項１または請求項２に記載の屋外用構造物の屋根取付構造。
【請求項４】
前記支持部材には、前記接続部材を固定するための取付部が、水平方向に沿って延設され、且つ、高さ方向に複数設けられ、
前記接続部材は、長手方向の複数箇所でそれぞれ異なる高さの前記取付部に取り付けられている
請求項１から請求項３のいずれか一項に記載の屋外用構造物の屋根取付構造。
【請求項５】
前記支持部材は、前記壁パネル部材を備えるパネル型支持部材と、支柱とで構成される請求項１から請求項４のいずれか一項に記載の屋外用構造物の屋根取付構造。
【請求項６】
壁パネル部材を備える支持部材を地面に立設する工程と、
前記支持部材に長尺な接続部材を固定する工程と、
二枚の薄板の間に発泡体で形成された芯材が配置されて構成された屋根材を有する屋根部を前記接続部材に取り付けて前記壁パネル部材の側面に前記屋根部を固定する工程と、を備え、
前記屋根材の周囲には該屋根材を保持する枠体が設けられ、
前記枠体には、外方を向く外側凹部が形成され、
前記屋根部を固定する工程において、前記接続部材に前記外側凹部を外挿することで、前記支持部材に前記屋根部を固定することを特徴とする屋外用構造物の屋根取付方法。
【請求項７】
壁パネル部材を備える支持部材を地面に立設する工程と、
前記支持部材に長尺な接続部材を固定する工程と、
二枚の薄板の間にハニカム構造体で構成された芯材が配置されて構成された屋根材を有する屋根部を前記接続部材に取り付けて前記壁パネル部材の側面に前記屋根部を固定する工程と、を備え、
前記屋根材の周囲には該屋根材を保持する枠体が設けられ、
前記枠体には、外方を向く外側凹部が形成され、
前記屋根部を固定する工程において、前記接続部材に前記外側凹部を外挿することで、前記支持部材に前記屋根部を固定することを特徴とする屋外用構造物の屋根取付方法。
【発明の詳細な説明】
【技術分野】
【０００１】
本発明は、屋外用構造物における屋根取付構造及び屋根取付方法に関する。
【背景技術】
【０００２】
バス停、駐車場、駐輪場や、屋外の通路等において、雨避け等の目的で屋根が設置される場合がある。例えば、カーポート等を構成する所定の部品を工場で作製し、この部品を設置現場で組み立てて施工する屋外用構造物が知られている（例えば、特許文献１参照）。特許文献１の簡易構造物等、従来の屋外用構造物では、折半屋根や、垂木及び母屋の上にポリカーボネートやガラス等の透明な屋根材を取り付けた屋根を、梁及び地面に固定した支柱で支える構造が採用されている。
【０００３】
また、特許文献２のカーポートのように、屋外用屋根構造物には、横方向からの風雨を避ける為や目隠しの為に、隣り合う柱の間にサイドパネルが設けられている場合がある。
【先行技術文献】
【特許文献】
【０００４】
【特許文献１】特開２００６−９７３６４号公報
【特許文献２】特開平１１−１４１１６２号公報
【発明の概要】
【発明が解決しようとする課題】
【０００５】
近年、意匠性の高い屋外構造物に対するニーズが増加している。しかし、上記従来の屋根では、柱の側方にサイドパネルを取り付けるため、柱とサイドパネルとの間に生じる凹凸や柱とサイドパネルとの接続部が露出しており、屋根構造物の外観に影響を与えていた。また、垂木及び母屋に屋根材を取り付ける作業や、柱とサイドパネルとの接続作業に手間が掛っており、施工現場での作業性向上が望まれていた。
【０００６】
上記事情を踏まえ、本発明は、意匠性に優れ、且つ設置現場での作業性向上を実現する屋外用構造物の屋根取付構造及び屋外用構造物の屋根取付方法を提供することを目的とする。
【課題を解決するための手段】
【０００７】
本発明に係る屋外用構造物の屋根取付構造は、地面に立設され、上下方向に立設される壁パネル部材を備える支持部材と、二枚の薄板の間に発泡体で形成された芯材が配置されて構成される屋根材を有する屋根部と、前記支持部材に固定され、前記屋根部の側面と前記壁パネル部材の側面とを接続する接続部材と、を備え、前記屋根材の周囲には該屋根材を保持する枠体が設けられ、前記枠体には、外方を向く外側凹部が形成され、前記接続部材に前記外側凹部が外挿されることで、前記支持部材に前記屋根部が支持されることを特徴とする。
【０００８】
この発明によれば、二枚の薄板の間に発泡体で形成された芯材が配置されて屋根材が構成されるため、屋根材を軽量化することができ、且つ十分な強度が得られる。この結果、従来の屋外用構造物で用いられているポリカーボネート製の屋根材に比べて強度を高くできるため、垂木や母屋等の屋根を構成する部品が不要となり、屋根材の下面（天井）を平坦（面一）にすることができ、意匠性に優れた屋外用構造物を提供できる。さらに、壁パネル部材を備える支持部材の側面と、屋根部の側面とを直接接続できる点においても、意匠性に優れた屋外用構造物を提供できる。また、屋根が遮光性に優れる。さらに、簡易な構成で支持部材の側面と屋根部の側面とを直接接続できるので、施工現場での作業性向上を実現できる。
【０００９】
本発明に係る屋外用構造物の屋根取付構造は、地面に立設され、上下方向に立設される壁パネル部材を備える支持部材と、二枚の薄板の間にハニカム構造体で構成された芯材が配置されて構成される屋根材を有する屋根部と、前記支持部材に固定され、前記屋根部の側面と前記壁パネル部材の側面とを接続する接続部材と、を備え、前記屋根材の周囲には該屋根材を保持する枠体が設けられ、前記枠体には、外方を向く外側凹部が形成され、前記接続部材に前記外側凹部が外挿されることで、前記支持部材に前記屋根部が支持されることを特徴とする。
【００１０】
この発明によれば、二枚の薄板の間にハニカム構造体で構成された芯材が配置されて屋根材が構成されるため、屋根材を軽量化することができ、且つ十分な強度が得られる。この結果、従来の屋外用構造物で用いられているポリカーボネート製の屋根材に比べて強度を高くできるため、垂木や母屋等の屋根を構成する部品が不要となり、屋根材の下面（天井）を平坦（面一）にすることができ、意匠性に優れた屋外用構造物を提供できる。さらに、壁パネル部材を備える支持部材の側面と、屋根部の側面とを直接接続できる点においても、意匠性に優れた屋外用構造物を提供できる。また、屋根が遮光性に優れる。さらに、簡易な構成で支持部材の側面と屋根部の側面とを直接接続できるので、施工現場での作業性向上を実現できる。
【００１１】
本発明に係る屋外用構造物の屋根取付構造において、前記接続部材は、長尺部材であり、水平方向に対して傾斜して前記壁パネル部材の側面に固定され、前記屋根部は、前記接続部材に沿って水平方向に対して傾斜して固定されてもよい。
【００１２】
この発明によれば、長尺な接続部材が水平方向に対して傾斜して前記壁パネル部材の側面に固定され、屋根部が接続部材を介して支持部材に固定されるので、簡易な構成により、壁パネル部材を備える支持部材に対して、屋根部を水平方向に対して傾斜させて取り付けることができる。
【００１３】
本発明に係る屋外用構造物の屋根取付構造において、前記支持部材には、前記接続部材を固定するための取付部が、水平方向に沿って延設され、且つ、高さ方向に複数設けられ、前記接続部材は、長手方向の複数箇所でそれぞれ異なる高さの前記取付部に取り付けられていてもよい。
【００１４】
この発明によれば、屋根部が傾斜する向きや角度に応じて、異なる高さの複数の取付部に跨って屋根部を取り付けることができる。また、屋根部を水平方向に取り付ける場合と、傾斜させて取り付ける場合とのどちらにも対応可能である。
【００１５】
本発明に係る屋外用構造物の屋根取付構造において、前記支持部材は、前記壁パネル部材を備えるパネル型支持部材と、支柱とで構成されていてもよい。
【００１６】
この発明によれば、例えば、屋根部の一辺がパネル型支持部材に支持され、屋根部のその他の位置が柱で支持された屋外用構造物とすることができ、多様な組み合わせが可能である。また、パネル型支持部材で、間仕切りあるいは目隠しの効果を得ながら、支柱による支持部分では生活動線を確保できる。
【００１７】
本発明に係る屋外用構造物の屋根取付方法は、壁パネル部材を備える支持部材を地面に立設する工程と、前記支持部材に長尺な接続部材を固定する工程と、二枚の薄板の間に発泡体で形成された芯材が配置されて構成された屋根材を有する屋根部を前記接続部材に取り付けて前記壁パネル部材の側面に前記屋根部を固定する工程と、を備え、前記屋根材の周囲には該屋根材を保持する枠体が設けられ、前記枠体には、外方を向く外側凹部が形成され、前記屋根部を固定する工程において、前記接続部材に前記外側凹部を外挿することで、前記支持部材に前記屋根部を固定することを特徴とする。
【００１８】
この発明によれば、支持部材に備える壁パネル部材の側面に対して、接続部材を介して屋根部の側面を固定できるので、意匠性に優れた屋外用構造物を施工できる。また、簡易な構成で支持部材の側面と屋根部の側面とを直接接続できるので、施工現場での作業性向上を実現できる。
【００１９】
本発明に係る屋外用構造物の屋根取付方法は、壁パネル部材を備える支持部材を地面に立設する工程と、前記支持部材に長尺な接続部材を固定する工程と、二枚の薄板の間にハニカム構造体で構成された芯材が配置されて構成された屋根材を有する屋根部を前記接続部材に取り付けて前記壁パネル部材の側面に前記屋根部を固定する工程と、を備え、前記屋根材の周囲には該屋根材を保持する枠体が設けられ、前記枠体には、外方を向く外側凹部が形成され、前記屋根部を固定する工程において、前記接続部材に前記外側凹部を外挿することで、前記支持部材に前記屋根部を固定することを特徴とする。
【００２０】
この発明によれば、支持部材に備える壁パネル部材の側面に対して、接続部材を介して屋根部の側面を固定できるので、意匠性に優れた屋外用構造物を施工できる。また、簡易な構成で支持部材の側面と屋根部の側面とを直接接続できるので、施工現場での作業性向上を実現できる。
【発明の効果】
【００２１】
本発明によれば、意匠性に優れ、且つ設置現場での施工を軽減する屋外用構造物の屋根取付構造及び屋外用構造物の屋根取付方法を提供できる。
【図面の簡単な説明】
【００２２】
【図１】本発明の一実施形態に係る屋外用構造物を示す斜視図である。
【図２】本発明の一実施形態に係る屋外用構造物の正面図である。
【図３】本発明のパネル型支持部材の上部の分解斜視図である。
【図４】本発明の第一実施形態の支持部材の正面図である。
【図５】本発明の一実施形態の支持部材の壁パネル部材と屋根部との連結部分を示す断面図である。
【発明を実施するための形態】
【００２３】
本発明の一実施形態に係る屋外用構造物１の屋根取付構造について説明する。図１は本実施形態の屋外用構造物１の斜視図である。図２は図１の矢印Ａ方向から見た屋外用構造物１の正面図である。図１及び図２に示すように、本実施形態の屋外用構造物１は、屋根部２と、パネル型支持部材（支持部材）７と支柱３，３（支持部材）とを備える。図１に示すように、屋外用構造物１は、パネル型支持部材７と、２本の支柱３、３で屋根部２が支持されている。
【００２４】
屋根部２は、略長方形の平板形状を有する。図１及び図５に示すように、屋根部２は、屋根材４と、屋根材４の外面を覆う外装材４５と、屋根材４の周囲に取り付けられる枠体６とを備える。
【００２５】
屋根材４は、芯材４１と、芯材４１の両面に配置された薄板４２１，４２２とが積層されて構成されている。芯材４１は、押出発泡ポリスチレンからなる板材である。具体的には、ポリスチレン又はポリスチレンの共重合体に発泡剤等を添加して溶融させた原料を押し出し発泡成形して形成された厚さ３ｃｍの板材である。
【００２６】
薄板は、上側薄板４２１と下側薄板４２２とで構成される。上側薄板４２１は、厚さ０.５ｍｍのアルミニウム板からなる。下側薄板４２２は、厚さ３ｍｍのアルミニウム樹脂複合板からなる。アルミニウム樹脂複合板は、例えば、ポリエチレン等の樹脂芯材の両面にアルミニウム面材が積層されて構成されたものを使用できる。上側薄板４２１及び下側薄板４２２は、芯材４１の上下面にそれぞれ接着剤で貼り付けられて屋根材４が形成されている。
【００２７】
外装材４５は、屋根材４の少なくとも下面に接着材により貼り付けられるシートである。外装材４５は、屋根材４の表面の保護及び意匠性を高めるために設けられる。本実施形態では、外装材４５は、木目模様が印刷されたシートで構成されている。この外装材４５を屋根材４に張り付けると、屋根材４が木製の板屋根のような外観となる。なお、外装材４５は、色、模様等を適宜選択して設けることができる。また、外装材４５はシートに限らず、金属や樹脂製の建材や塗装、印刷等であってもよい。
【００２８】
枠体６は、屋根材４の周囲（縁端部）に設けられている。図１に示すように、枠体６は、枠本体６１と、枠本体６１の外周面を覆う屋根枠カバー６２とを備える。枠本体６１及び屋根枠カバー６２は、アルミニウム製の押し出し形材である。枠体６には、外装材４５と同じ柄のシートが貼られたラッピング形材である。
【００２９】
図５は屋外用構造物１の屋根部２とパネル型支持部材７の上部とを示す断面図である。図５に示すように、枠本体６１は、略Ｈ字形の断面を有する長尺部材である。枠本体６１は、上下方向に伸びる縦壁部６１６を境界として、屋根材４側に配置される内側凹部６１１と、外方に配置される外側凹部６１２とを備える。枠本体６１の一方の内側凹部６１１に屋根材４の外縁部４３が内嵌される。
【００３０】
外側凹部６１２の上下端部には、枠本体６１の長手方向に沿って係止部６１３、６１４が形成されている。屋根枠カバー６２は、長尺な略板状の部材であり、枠本体６１の外側凹部６１２を覆うように配置されて枠本体６１の係止部６１３、６１４と係合される。枠本体６１は、屋根部２の長辺の両方に使用できる共通部品である。なお、屋根部２の短辺においても同様の断面形状の枠本体を使用できる。
【００３１】
枠体６は、屋根材４の側面にそれぞれ外嵌されている。枠体６と屋根材４の外嵌部分の隙間は、シール材（不図示）により塞がれて防水処理が施されている。シール材は、例えば、フィルムにアクリル系感圧型粘着剤が設けられた接着テープが用いられる。なお、図５には、屋根材４のみが外装材４５で被覆される構成を示すが、屋根材４及び枠体６が外装材４５で被覆される構成でもよい。また、シール材として、コーキング材を塗布してもよい。
【００３２】
支柱３は、中空の角柱からなる本体部３３と、キャップ３２とを備える。本体部３３の内面には、キャップ３２を固定するための４本のネジ（不図示）がそれぞれ係合される４つの係合部（不図示）が支柱３の上下方向に延設されている。支柱３は、例えば、アルミニウム形材からなる。キャップ３２は、例えば、ＡＳＡ樹脂（Acrylonitrile-Styrene-Acrylate樹脂）からなる。
【００３３】
図２に示すように、キャップ３２の上面にはスペーサ８が設けられている。スペーサ８は中心に貫通孔が形成された円盤状の部材である。
【００３４】
パネル型支持部材７は、２本の縦枠７０，７０と、壁パネル部材７１と、パネル上枠７２と、パネル下枠７３とを備える。図３は、パネル型支持部材７の上部の分解斜視図である。壁パネル部材７１は、屋根材４と同様の構成であり、図３に示すように、発泡体からなる芯材７１１と、芯材７１１の両面に配置されたアルミニウム製の薄板７１２、７１２とが積層されて構成されている。薄板７１２，７１２の表面には、屋根材４と同様の外装材７１５が接着剤により貼り付けられている。
【００３５】
縦枠７０，７０と、パネル上枠７２と、パネル下枠７３とは、例えば、アルミニウム形材からなる中空の角柱であり、それぞれ、長手方向に平行に延びる一対のパネル保持部を備える。壁パネル部材７１の端部は、縦枠７０，７０、パネル上枠７２、及びパネル下枠７３の各パネル保持部が外嵌され、固定金具７６を介して、各枠７０，７２，７３と壁パネル部材７１とが固定されている。縦枠７０，７０の上端は、縦枠キャップ７５，７５が嵌合されて固定されている。
【００３６】
パネル上枠７２のうち、上下方向に延びる側面の一方の面には、接続部材を固定するための取付部７２１が設けられている。取付部７２１は、水平方向に沿ってパネル上枠７２の厚さが厚い部分が形成されて構成されている。取付部７２１は、高さ方向に複数設けられている。本実施形態では、例えば、上下方向に４段の取付部７２１が設けられている。
【００３７】
接続部材１０は、図５に示すように、断面形状が略Ｕ字形状の長尺な部材であり、上下方向に延びる鉛直壁１１と、下面部１２と、上面部１３とを備える。下面部１２は、鉛直壁１１の下端から曲折して延出している。上面部１３は、鉛直壁１１と直交する方向に延び、鉛直壁１１の上端と上面部１３との間に段部１４が形成されている。接続部材１０は、全長に亘って図５に示す断面形状となるように形成されている。
【００３８】
次に、屋外用構造物１の屋根取付構造を説明する。
図５に示すように、パネル上枠７２の取付部７２１に接続部材１０の鉛直壁１１が当接され、４箇所で取付部７２１に対してねじ９９により固定されている。本実施形態では、接続部材１０は、屋根部２の傾斜に対応するように水平方向に対して傾斜させて取り付けられている。本実施形態では、図４の右側が高くなるように屋根部２を傾斜させる。この場合、接続部材１０の図４における右側の端部が、最上段の取付部７２１にねじ９９で固定され、左側の端部が、最下段の取付部７２１にねじ９９で固定されている。接続部材１０の中間部も上側から２段目と３段目の取付部７２１，７２１に固定されている。
【００３９】
屋根部２は、枠本体６１と接続部材１０とを介してパネル上枠７２に固定されている。図５に示すように、接続部材１０の下面部１２は、枠本体６１の外側凹部６１２内の縦壁部６１６に設けられた突起爪６１５と係止する。さらに、接続部材１０の上面部１３は、外側凹部６１２の上側の内面と当接し、接続部材１０の段部１４が係止部６１３と当接することにより、接続部材１０に枠本体６１が係止され、この状態で、ねじ９８で固定されている。
【００４０】
本実施形態の屋外用構造物１は、屋根部２が軽量であるため、パネル型支持部材７の側面と、枠本体６１の側面（屋根部２の側面）とを接続部材１０を介して接続することにより、屋根部２を支持可能である。
【００４１】
次に、本実施形態の屋外用構造物１の屋根取付方法を示す。
屋外用構造物１の屋根部２、支柱３、壁パネル部材７１等の部品は予め工場で作製されており、これらを施工現場で組み立てることにより屋外用構造物１が得られる。まず、パネル型支持部材７を組み立てる。固定金具７６を介して壁パネル部材７１の上下の端部にパネル上枠７２及びパネル下枠７３を固定する。次に、固定金具７６を介して縦枠７０，７０を壁パネル部材７１の左右端部に固定する。縦枠７０，７０の上端部に縦枠キャップ７５，７５を嵌合させる。
【００４２】
パネル上枠７２に、ねじ９９で接続部材１０を取り付ける。図４に示すように、屋根部２の傾斜角度に合わせて接続部材１０を水平方向に対して傾斜させて、パネル上枠７２に当接させる。この状態で、複数の取付部７２１の各段において、接続部材１０をねじ９９で固定する。この結果、接続部材１０が水平方向に対して傾斜した状態でパネル上枠７２に固定される。
【００４３】
次に、地面に埋設または固定された複数の土台部（不図示）に２本の支柱３，３及びパネル型支持部材７の縦枠７０，７０を固定して立設する。支柱３の上端部の開口３１にキャップ３２を配置し、ネジをキャップ３２の不図示のネジ孔及び係合部に挿入し、係合部とネジとを螺合させてキャップ３２を支柱３に固定する。なお、キャップ３２は、支柱３を立設する前に支柱３に取り付けてもよい。
【００４４】
次に、屋根部２を支柱３，３及びパネル型支持部材７に固定する。まず、図５に示すように、接続部材１０に枠本体６１の外側凹部６１２を外挿する。突起爪６１５に下面部１２の端部を係止させ、段部１４を係止部６１３に当接させて上面部１３を外側凹部６１２に当接させ、ねじ９８で固定する。この結果、屋根部２を水平方向に対して所望の角度で傾斜させて、枠本体６１をパネル上枠７２に固定できる。
【００４５】
この状態で、屋根部２の枠体６の下面を２本の支柱３，３の各キャップ３２の上面に載置する。このとき、枠本体６１とキャップ３２との間にスペーサ８を配置する。
次に、連結ビス（不図示）を枠本体６１の外側凹部６１２の内側からスペーサ８及びキャップ３２の連結ビス孔に貫通し、キャップ３２に螺合させる。スペーサ８を設けることにより、屋根材４と支柱３とが干渉することなく、屋根部２を水平方向に対して傾斜した状態で支柱３に固定できる。
【００４６】
次に、パネル上枠７２と連結された部分以外の屋根部２の枠本体６１に屋根枠カバー６２を係合させて固定し、屋外用構造物１が完成する。
【００４７】
本実施形態に係る屋外用構造物１の屋根取付構造によれば、二枚の薄板４２１、４２２の間に発泡体で形成された芯材４１が配置されて屋根材４が構成されるため、屋根材４を軽量化することができ、且つ十分な強度が得られる。この結果、従来の屋外用構造物で用いられているポリカーボネート製の屋根材に比べて強度を高くできるため、垂木や母屋等の屋根を構成する部品が不要となり、屋根材４の下面（天井）を平坦にすることができ、意匠性に優れた屋外用構造物を提供できる。さらに、壁パネル部材７１を備えるパネル型支持部材７のパネル上枠７２の側面と、屋根部２の枠本体６１（屋根部２の側面）とを接続できる点においても、意匠性に優れた屋外用構造物１を提供できる。また、屋根部２が遮光性に優れる。
【００４８】
本実施形態に係る屋外用構造物１の屋根取付構造によれば、屋根材４を軽量化することができるとともに、屋根の耐熱性、断熱性を向上させることができる。
【００４９】
本実施形態に係る屋外用構造物１の屋根取付構造によれば、長尺な接続部材１０が水平方向に対して傾斜してパネル上枠７２の側面に固定され、屋根部２が接続部材１０に沿って、水平方向に対して傾斜してパネル型支持部材７に固定されるので、簡易な構成により、パネル型支持部材７に対して屋根部２を取り付けることができる。
【００５０】
本実施形態に係る屋外用構造物１の屋根取付構造によれば、屋根部２が傾斜する向きや角度に応じて、異なる高さの複数の取付部７２１に跨って屋根部２を取り付けることができる。また、屋根部２を水平方向に固定する場合も、同じパネル上枠７２を用いることができる。
【００５１】
本実施形態に係る屋外用構造物１の屋根取付構造によれば、例えば、屋根部２の一辺がパネル型支持部材７に支持され、屋根部２のその他の部分が支柱３で支持された屋外用構造物１とすることができる。この結果、パネル型支持部材２１で、間仕切りあるいは目隠しの効果を得ながら、支柱３，３による支持部分では生活動線を確保できる。
【００５２】
本実施形態に係る屋外用構造物１の屋根取付方法によれば、パネル型支持部材７に備える壁パネル部材７１の側面に対して、接続部材１０を介して屋根部２の側面を固定できるので、意匠性に優れた屋外用構造物１の設置現場での施工負担を軽減することができる。
【００５３】
上記実施形態では、屋根部２が水平方向に対して傾斜した例を挙げたが、本発明に係る屋外用構造物の屋根取付構造は、屋根部２を水平方向に配置してパネル型支持部材７に固定する場合にも適用できる。
【００５４】
上記実施形態では、長方形の屋根部２の短辺の一辺をパネル型支持部材７に固定し、且つ、２本の支柱３，３で屋根部２を支持する構成としたが、屋根部２の支持部材の組み合わせはこれに限定されず、バリエーションが考えられる。例えば、２つのパネル型支持部材を屋根部２の対向する２辺あるいは直交する２辺に設けて支持する構成や、少なくとも１つのパネル型支持部材７と、支柱３とを組み合わせて支持する構成でもよい。
【００５５】
上記実施形態では、４段の取付部７２１が設けられる例を示したが、取付部の数はこれに限定されず、パネル型支持部材７の寸法や屋根部２の寸法に応じて設定可能である。
【００５６】
上記実施形態では、薄板は上側薄板４２１がアルミニウム板からなり、下側薄板４２２がアルミニウム樹脂複合板からなる例を示したが、薄板はこれに限定されず、軽量且つ耐久性に優れた板材若しくはシートであればよい。例えば、繊維強化プラスチック板、鋼板のいずれか一つまたはいずれかの組み合わせからなる薄板でもよい。また、上側薄板及び下側薄板が同じ材料からなる薄板であってもよい。この他、例えば、薄板として、木目模様等を有するシートを直接発泡体に貼って屋根材を構成してもよい。
【００５７】
本実施形態では、キャップ３２はＡＳＡ樹脂（Acrylonitrile-Styrene-Acrylate樹脂）からなる例を示したが、キャップの材質はこれに限定されず、例えば、ステンレス等であってもよい。
【００５８】
上記実施形態では、屋根材及び壁パネル部材の芯材として、押出発泡ポリスチレンからなる板材を例示したが、芯材は発泡体で形成された軽量且つ屋根材として十分な強度を備えるものであればよい。例えば、発泡ポリエチレン、発泡スチロール等であってもよい。さらに、屋根材は、発泡ポリスチレン、発泡ポリエチレン、発泡スチロール、樹脂、金属等で形成されたハニカム構造体で構成される芯材を薄板で挟んで構成されてもよい。
【００５９】
本実施形態では、アルミニウム板（薄板）と枠体とが別の部材で構成される例を挙げたが、２枚の薄板と長辺方向の枠体とを一体に形成して、２枚の薄板と長辺方向の枠体とで形成された空間に芯材を収容する構成であってもよい。
【００６０】
以上、本発明の実施形態について図面を参照して詳述したが、具体的な構成はこの実施形態に限られるものではなく、本発明の要旨を逸脱しない範囲の設計変更等も含まれる。
また、上述の実施形態において示した構成要素は適宜に組み合わせて構成することが可能である。
【符号の説明】
【００６１】
１  屋外用構造物
２  屋根部
３  支柱（支持部材）
４  屋根材
７  パネル型支持部材（支持部材）
１０  接続部材
７１  壁パネル部材
４１  芯材
４２１  上側薄板（薄板）
４２２  下側薄板（薄板）
【図１】
0006652389.tif 000002
【図２】
0006652389.tif 000003
【図３】
0006652389.tif 000004
【図４】
0006652389.tif 000005
【図５】
0006652389.tif 000006